(57)【要約】  一般的な光トランシーバによれば、受光素子アレイと発光素子アレイとを使用するによって、次のような問題点がある。第一に、隣接チャンネル間の光学的干渉。第二に、受光素子アレイと発光素子アレイとに連結される電気線間の間隔が狭くなければならないので、隣接チャンネル間の電気的干渉も起こる。第三に、製造工程で、光ファイバアレイの端部が受光素子アレイと発光素子アレイとに正確に対向されるべく整列するところに困難さが伴う。これによって、製造コストが高い。よって、第１側からの複数チャンネルの光信号を電気信号に変換して第２側に出力し、第２側からの複数チャンネルの電気信号を光信号に変換して第１側に出力する光トランシーバであって、ケース、それぞれの単チャンネル受光組立体、及びそれぞれの単チャンネル発光組立体を含む光トランシーバが提供される。ケースの内部に位置したそれぞれの単チャンネル受光組立体には、第１側からの複数チャンネルの光信号それぞれを感知する受光素子それぞれが内蔵される。ケースの内部に位置したそれぞれの単チャンネル発光組立体には、第２側からの複数チャンネルの電気信号それぞれによって駆動される発光素子それぞれが内蔵される。
2010511907.tif 000002
【特許請求の範囲】
【請求項１】
第１側からの複数チャンネルの光信号を電気信号に変換して第２側に出力し、前記第２側からの複数チャンネルの電気信号を光信号に変換して前記第１側に出力する光トランシーバであって、
ケースと、
前記ケースの内部に位置し、前記第１側からの複数チャンネルの光信号それぞれを感知する受光素子それぞれが内蔵されたそれぞれの単チャンネル受光組立体と、
前記ケースの内部に位置し、前記第２側からの複数チャンネルの電気信号それぞれによって駆動される発光素子それぞれが内蔵されたそれぞれの単チャンネル発光組立体とを備える光トランシーバ。
【請求項２】
前記単チャンネル受光組立体として、ＲＯＳＡ（receiver optical sub-assembly）が使われ、
前記単チャンネル発光組立体としてＴＯＳＡ（transmitter optical sub-assembly）が使われたことを特徴とする請求項１に記載の光トランシーバ。
【請求項３】
前記ケースの前記第１側の側部に第１光ファイバ・コネクタと第２光ファイバ・コネクタとが設けられ、
前記単チャンネル発光組立体それぞれからの光信号が前記第１光ファイバ・コネクタを介して前記第１側に出力され、
前記第１側からの前記光信号が前記第２光ファイバ・コネクタを介して前記単チャンネル受光組立体それぞれに入力されることを特徴とする請求項１に記載の光トランシーバ。
【請求項４】
前記ケースの前記第２側の側部に電気コネクタが設けられ、
前記単チャンネル受光組立体からの電気信号が受信バッファら及び前記電気コネクタを介して前記第２側に出力され、
前記第２側からの電気信号が前記電気コネクタ及び送信バッファを介して前記単チャンネル発光組立体に入力されることを特徴とする請求項３に記載の光トランシーバ。
【請求項５】
回路基板が前記ケースの内部に設けられ、
前記回路基板の底面に、前記受信バッファ及び前記送信バッファが付着され、
前記回路基板の上面に、前記単チャンネル受光組立体及び前記単チャンネル発光組立体が配列されたことを特徴とする請求項４に記載の光トランシーバ。
【請求項６】
前記回路基板の一端部で、前記電気コネクタが形成されたことを特徴とする請求項５に記載の光トランシーバ。
【発明の詳細な説明】
【技術分野】
【０００１】
本発明は、光トランシーバに係り、さらに詳細には、第１側からの複数チャンネルの光信号を電気信号に変換して第２側に出力し、前記第２側からの複数チャンネルの電気信号を光信号に変換して前記第１側に出力する光トランシーバに関する。
【背景技術】
【０００２】
複数チャンネルの光トランシーバにおいて、一般的な光トランシーバ、例えば、特許文献１の光トランシーバでは、複数チャンネルの光ファイバアレイの端部が受光素子アレイと発光素子アレイとに対向されるように整列されている。
【０００３】
前記のような一般的な光トランシーバによれば、受光素子アレイと発光素子アレイとを使用することによって、次のような問題点がある。
【０００４】
第一に、隣接チャンネル間の光学的干渉（crosstalk）が起こる。
【０００５】
第二に、受光素子アレイと発光素子アレイとに連結される電気線の間隔が狭くなければならないので、隣接チャンネル間の電気的干渉も起こる。
【０００６】
第三に、製造工程で、光ファイバアレイの端部が受光素子アレイと発光素子アレイとに正確に対向されるように整列し難いということがある。これによって、製造コストが高くなってしまう。
【先行技術文献】
【特許文献】
【０００７】
【特許文献１】特開２００２−３１１３１０号公報
【発明の概要】
【発明が解決しようとする課題】
【０００８】
本発明の目的は、複数チャンネルの光トランシーバにおいて、隣接チャンネル間の光学的干渉及び電気的干渉を防止し、製造コストを減らすことができる光トランシーバを提供することである。
【課題を解決するための手段】
【０００９】
本発明は、第１側からの複数チャンネルの光信号を電気信号に変換して第２側に出力し、前記第２側からの複数チャンネルの電気信号を光信号に変換して前記第１側に出力する光トランシーバであって、ケース、それぞれの単チャンネル受光組立体、及びそれぞれの単チャンネル発光組立体を備える。
【００１０】
前記ケースの内部に位置したそれぞれの単チャンネル受光組立体には、前記第１側からの複数チャンネルの光信号それぞれを感知する受光素子それぞれが内蔵される。前記ケースの内部に位置したそれぞれの単チャンネル発光組立体には、前記第２側からの複数チャンネルの電気信号それぞれによって駆動される発光素子それぞれが内蔵される。
【発明の効果】
【００１１】
本発明の光トランシーバによれば、ケースの内部に位置したそれぞれの単チャンネル受光組立体及びそれぞれの単チャンネル発光組立体内で、光電変換及び電光変換が行われる。それによって、次のような効果を得ることができる。
【００１２】
第一に、隣接チャンネル間の光学的干渉が起こらない。
【００１３】
第二に、それぞれの単チャンネル受光組立体及びそれぞれの単チャンネル発光組立体に電気線間の間隔が広くなりうるので、隣接チャンネル間の電気的干渉も減りうる。
【００１４】
第三に、製造工程で光ファイバの端部が受光素子と発光素子とに対向されるべく整列する必要がない。これによって、製造コストが減りうる。
【図面の簡単な説明】
【００１５】
【図１】本発明の一実施形態による光トランシーバを示すブロック図である。
【図２】図１の光トランシーバＥＩ外形を示す斜視図である。
【図３】図２の光トランシーバが使われる回路装置の例を示す斜視図である。
【図４】図２の光トランシーバの内部を示す平面図である。
【図５】図４のＡ方向から見た側面図である。
【図６】本発明の他の実施形態による光トランシーバを示すブロック図である。
【図７】図６の光トランシーバの実際の内部を示す平面図である。
【図８】図７のＡ方向から見た側面図である。
【発明を実施するための形態】
【００１６】
図１は、本発明の一実施形態による光トランシーバ１を示している。図２は、図１の光トランシーバ１の外形を示している。
【００１７】
図１及び図２を参照すれば、本発明の一実施形態による光トランシーバ１は、第１側、例えば、サーバ（server）側からの８チャンネルの光信号ＳＯＰＩＮ１ないしＳＯＰＩＮ８を、電気信号ＳＥＤＯＵＴ１ないしＳＥＤＯＵＴ８に変換して第２側、例えば、クライアント（client）側に出力し、第２側からの８チャンネルの電気信号ＳＥＤＩＮ１ないしＳＥＤＩＮ８を光信号ＳＯＰＯＵＴ１ないしＳＯＰＯＵＴ８に変換して第１側に出力する。
【００１８】
本発明の一実施形態による光トランシーバ１は、ケース１５、それぞれの単チャンネル受光組立体ＲＯＳＡ １ないしＲＯＳＡ ８、及びそれぞれの単チャンネル発光組立体ＴＯＳＡ １ないしＴＯＳＡ ８を含む。ここで、それぞれの単チャンネル受光組立体ＲＯＳＡ １ないしＲＯＳＡ ８として、周知のＲＯＳＡ（receiver optical sub-assembly）が使われる。また、それぞれの単チャンネル発光組立体ＴＯＳＡ １ないしＴＯＳＡ ８として、周知のＴＯＳＡ（transmitter optical sub-assembly）が使われる。
【００１９】
ケース１５の内部に位置したそれぞれの単チャンネル受光組立体ＲＯＳＡ １ないしＲＯＳＡ ８には、第１側からの８チャンネルの光信号ＳＯＰＩＮ１ないしＳＯＰＩＮ８それぞれを感知する受光素子それぞれが内蔵される。また、ケース１５の内部に位置したそれぞれの単チャンネル発光組立体ＴＯＳＡ １ないしＴＯＳＡ ８には、第２側からの８チャンネルの電気信号ＳＥＤＩＮ１ないしＳＥＤＩＮ８それぞれによって駆動される発光素子それぞれが内蔵される。
【００２０】
すなわち、ケース１５の内部に位置したそれぞれの単チャンネル受光組立体ＲＯＳＡ １ないしＲＯＳＡ ８及びそれぞれの単チャンネル発光組立体ＴＯＳＡ １ないしＴＯＳＡ ８内で、光電（opto-electric）変換及び電光（electro-optic）変換が行われる。
【００２１】
ケース１５の第１側方向の側部には、第１光ファイバ・コネクタ１１Ｔと第２光ファイバ・コネクタ１１Ｒが設けられる。これによって、単チャンネル発光組立体ＴＯＳＡ １ないしＴＯＳＡ ８それぞれからの光信号ＳＯＰＯＵＴ１ないしＳＯＰＯＵＴ８が第１光ファイバ・コネクタ１１Ｔを介して第１側に出力される。また、第１側からの光信号ＳＯＰＩＮ１ないしＳＯＰＩＮ８が第２光ファイバ・コネクタ１１Ｒを介して単チャンネル受光組立体ＲＯＳＡ １ないしＲＯＳＡ ８それぞれに入力される。
【００２２】
ケース１５の内部には、回路基板１３が設けられる。回路基板１３には、送信バッファＴｘＩＣ １ないしＴｘＩＣ ８及び受信バッファＲｘＩＣ １ないしＲｘＩＣ ８が実装される。また、ケース１５の第２側の側部、すなわち、回路基板１３の一端部には、電気コネクタ１３Ｃが形成される。
【００２３】
単チャンネル受光組立体ＲＯＳＡ １ないしＲＯＳＡ ８からの電気信号ＳＥＤＯＵＴ１ないしＳＥＤＯＵＴ８は、受信バッファＲｘＩＣ １ないしＲｘＩＣ ８及び電気コネクタ１３Ｃを介して第２側に出力される。また、第２側からの電気信号ＳＥＤＩＮ１ないしＳＥＤＩＮ８が電気コネクタ１３Ｃ及び送信バッファＴｘＩＣ １ないしＴｘＩＣ ８を介して、単チャンネル発光組立体ＴＯＳＡ １ないしＴＯＳＡ ８に入力される。
【００２４】
ケース１５の長手方向の両側側部には、ガイドスロット部１５Ｓが備わる。これと関連した技術について図３を参照しつつ説明する。
【００２５】
図３は、図２の光トランシーバ１が使われる回路装置３の例を示している。
【００２６】
図２及び図３を参照すれば、本発明の一実施形態の光トランシーバ１が使われる回路装置３は、前記第２側に該当するシステム、例えば、クライアント・システムに含まれる。該回路装置３には、ガイドレール部３１とコネクタ・スロット３３Ｓが形成されている。すなわち、回路装置３のガイドレール部３１は、光トランシーバ１のガイドスロット部１５Ｓに相応するように形成され、回路装置３のコネクタ・スロット３３Ｓは光トランシーバ１の電気コネクタ１３Ｃに相応するように形成される。これによって、本発明の一実施形態の光トランシーバ１は、回路装置３に容易に挿入され、かつ設けられうる。
【００２７】
図４は、図２の光トランシーバ１の内部を示す平面図である。図５は、図４のＡ方向から見た側面図である。図４及び図５で、図１及び図２と同じ参照符号は、同じ機能の対象を指す。図４及び図５で、参照符号４１Ｔは送信光ファイバラインを、４１Ｒは受信光ファイバラインを、４２はリード（lead）を、そして５１は送信バッファ（図１のＴｘＩＣ １ないしＴｘＩＣ ８）をそれぞれ指す。
【００２８】
図４及び図５を参照すれば、回路基板１３の底面に、受信バッファＲｘＩＣ １ないしＲｘＩＣ ８及び送信バッファ５１（ＴｘＩＣ １ないしＴｘＩＣ ８）が付着される。また、回路基板の上面に、単チャンネル受光組立体ＲＯＳＡ １ないしＲＯＳＡ ８及び単チャンネル発光組立体ＴＯＳＡ １ないしＴＯＳＡ ８が配列される。
【００２９】
図１、図２、図４、及び図５を参照すれば、前記の通り、ケース１５の内部に位置したそれぞれの単チャンネル受光組立体ＲＯＳＡ １ないしＲＯＳＡ ８及びそれぞれの単チャンネル発光組立体ＴＯＳＡ １ないしＴＯＳＡ ８内で、光電変換及び電光変換が行われる。これによって、次のような効果を得ることができる。
【００３０】
第一に、隣接チャンネル間の光学的干渉（crosstalk）が起こらない。
【００３１】
第二に、それぞれの単チャンネル受光組立体ＲＯＳＡ １ないしＲＯＳＡ ８及びそれぞれの単チャンネル発光組立体ＴＯＳＡ １ないしＴＯＳＡ ８に電気線、例えば、リード４２間の間隔が広くなりうるので、隣接チャンネル間の電気的干渉も減りうる。
【００３２】
第三に、製造工程で、光ファイバ４１Ｔ，４１Ｒの端部が受光素子と発光素子とに対向されるべく整列する必要がない。これによって、製造コストが減りうる。
【００３３】
図６は、本発明の他の実施形態による光トランシーバ６を示している。図６の光トランシーバ１の外形は、図２のものの縮小形であるといえる、これと関連した説明は省略する。図７は、図６の光トランシーバ６の実際の内部を示す平面図である。図８は、図７のＡ方向から見た側面図である。図６ないし図８で、図１と同じ参照符号は、同じ機能の対象を指す。図７で参照符号６２は、電気的リードを指す。
【００３４】
図６ないし図８を参照すれば、本発明の他の実施形態による光トランシーバ６は、第１側、例えば、サーバ側からの４チャンネルの光信号ＳＯＰＩＮ １ないしＳＯＰＩＮ ４を電気信号ＳＥＤＯＵＴ １ないしＳＥＤＯＵＴ ４に変換して第２側、例えば、クライアント側に出力し、第２側からの４チャンネルの電気信号ＳＥＤＩＮ １ないしＳＥＤＩＮ ４を光信号ＳＯＰＯＵＴ １ないしＳＯＰＯＵＴ ４に変換して第１側に出力する。
【００３５】
本発明の他の実施形態による光トランシーバ６は、それぞれの単チャンネル受光組立体ＲＯＳＡ １ないしＲＯＳＡ ４、及びそれぞれの単チャンネル発光組立体ＴＯＳＡ １ないしＴＯＳＡ ４を含む。ここで、それぞれの単チャンネル受光組立体ＲＯＳＡ １ないしＲＯＳＡ ４として、周知のＲＯＳＡが使われる。また、それぞれの単チャンネル発光組立体ＴＯＳＡ １ないしＴＯＳＡ ４として、周知のＴＯＳＡが使われる。
【００３６】
それぞれの単チャンネル受光組立体ＲＯＳＡ １ないしＲＯＳＡ ４には、第１側からの４チャンネルの光信号ＳＯＰＩＮ １ないしＳＯＰＩＮ ４それぞれを感知する受光素子それぞれが内蔵される。また、それぞれの単チャンネル発光組立体ＴＯＳＡ １ないしＴＯＳＡ ４には、第２側からの４チャンネルの電気信号ＳＥＤＩＮ １ないしＳＥＤＩＮ ４それぞれによって駆動される発光素子それぞれが内蔵される。
【００３７】
すなわち、それぞれの単チャンネル受光組立体ＲＯＳＡ １ないしＲＯＳＡ ４及びそれぞれの単チャンネル発光組立体ＴＯＳＡ １ないしＴＯＳＡ ４内で、光電変換及び電光変換が行われる。
【００３８】
単チャンネル発光組立体ＴＯＳＡ １ないしＴＯＳＡ ４それぞれからの光信号ＳＯＰＯＵＴ １ないしＳＯＰＯＵＴ ４は、光ファイバ・コネクタ６１を介して第１側に出力される。また、第１側からの光信号ＳＯＰＩＮ １ないしＳＯＰＩＮ ４も光ファイバ・コネクタ６１を介して単チャンネル受光組立体ＲＯＳＡ １ないしＲＯＳＡ ４それぞれでに入力される。
【００３９】
回路基板６３には、送信バッファＴｘＩＣ １ないしＴｘＩＣ ４及び受信バッファＲｘＩＣ １ないしＲｘＩＣ ４が実装される。また、回路基板６３の一端部には、電気コネクタ６３Ｃが形成される。
【００４０】
単チャンネル受光組立体ＲＯＳＡ １ないしＲＯＳＡ ４からの電気信号ＳＥＤＯＵＴ １ないしＳＥＤＯＵＴ ４は、受信バッファＲｘＩＣ １ないしＲｘＩＣ ４及び電気コネクタ６３Ｃを介して第２側に出力される。また、第２側からの電気信号ＳＥＤＩＮ １ないしＳＥＤＩＮ ４が電気コネクタ６３Ｃ及び送信バッファＴｘＩＣ １ないしＴｘＩＣ ４を介して単チャンネル発光組立体ＴＯＳＡ １ないしＴＯＳＡ ４に入力される。
【００４１】
回路基板６３の底面には、受信バッファＲｘＩＣ １ないしＲｘＩＣ ４及び送信バッファＴｘＩＣ １ないしＴｘＩＣ ４が付着される。また、回路基板の上面には、単チャンネル受光組立体ＲＯＳＡ １ないしＲＯＳＡ ４及び単チャンネル発光組立体ＴＯＳＡ １ないしＴＯＳＡ ４が配列される。
【図１】
2010511907.tif 000003
【図２】
2010511907.tif 000004
【図３】
2010511907.tif 000005
【図４】
2010511907.tif 000006
【図５】
2010511907.tif 000007
【図６】
2010511907.tif 000008
【図７】
2010511907.tif 000009
【図８】
2010511907.tif 000010
【国際調査報告】
2010511907.tif 000011
2010511907.tif 000012